(57)【要約】【課題】設置スペースを必要最小限に抑えることができる記録装置を提供すること。【解決手段】装置本体１０１の背面側の少なくとも一端部に切り欠きを設けて接続端子１３１〜１３６の配設部１０１ａとする。この配設部は、接続端子が装置本体の背面から飛び出ない大きさに切り欠かれている。これにより、接続端子を装置本体の背面側の切り欠き端部内に収めることができるので、記録装置の設置スペースとしては筺体の投影面積とほぼ同等のスペースを用意すればよくなる。【選択図】　　　図５
2004082539.tif 000002
【特許請求の範囲】
【請求項１】
記録媒体に記録する記録装置であって、
装置本体の背面側の少なくとも一端部に切り欠きを設けて接続端子の配設部としたことを特徴とする記録装置。
【請求項２】
前記配設部は、前記接続端子が前記装置本体の背面から飛び出ない大きさに切り欠かれていることを特徴とする請求項１に記載の記録装置。
【発明の詳細な説明】
【０００１】
【発明の属する技術分野】
本発明は、記録媒体に記録する記録装置に関する。
【０００２】
【従来の技術】
一般に、記録装置の１つである前面操作型のインクジェット式プリンタは、扁平の直方体状に形成されており、例えばＡＣ１００Ｖのソケットと接続するためのケーブルコネクタや、例えばコンピュータのインターフェースと接続するためのケーブルコネクタは、筺体の背面に配設されている電源コネクタやポートに接続されるようになっている。
【０００３】
そして、新規の記録用紙は、プリンタ本体の前面側に配設されている抜き差し自在なトレイ内に積載されて一端がホッパにより持ち上げられ、最上位の記録用紙が、給紙ローラにより引き出され紙送りローラへ給紙される。そして、その記録用紙は、副走査方向に間欠的に設定量ずつ搬送されつつ主走査方向に往復移動するキャリッジに搭載された記録ヘッドから吐出されるインク滴により情報が記録される。そして、記録済みの記録用紙は、プリンタ本体の前面側に配設されている開閉自在なスタッカ上に排紙されるようになっている。
【０００４】
【発明が解決しようとする課題】
上述した従来のインクジェット式プリンタは、電源コネクタやポートが筺体の背面に配設されているため、それらに接続される各ケーブルコネクタは筺体の背面から飛び出ることになる。このため、インクジェット式プリンタの設置スペースとしては筺体の投影面積よりも広いスペースを確保しなければならない。
【０００５】
本発明は、上記のような課題に鑑みなされたものであり、その目的は、設置スペースを必要最小限に抑えることができる記録装置を提供することにある。
【０００６】
【課題を解決するための手段】
上記目的達成のため、本発明の請求項１に係る記録装置では、記録媒体に記録する記録装置であって、装置本体の背面側の少なくとも一端部に切り欠きを設けて接続端子の配設部としたことを特徴としている。請求項２に係る発明では、請求項１に記載の記録装置において、前記配設部は、前記接続端子が前記装置本体の背面から飛び出ない大きさに切り欠かれていることを特徴としている。これにより、接続端子を装置本体の背面側の切り欠き端部内に収めることができるので、記録装置の設置スペースとしては筺体の投影面積とほぼ同等のスペースを用意すればよくなる。
【０００７】
【発明の実施の形態】
以下、図面に基づいて本発明の実施の形態について詳細に説明する。
【０００８】
図１は、本発明の実施の形態に係る記録装置の１つであるインクジェット式プリンタの構成例を斜め前方から見た斜視図である。このインクジェット式プリンタ１００は、上方から見たときに凸形状をした扁平な略直方体の形状をしており、一側面（以下、前面という）側から全ての操作を行うことが可能なように構成されている。したがって、装置上面には可動部や操作部等が無く、装置上面は平坦に形成されているので、装置上面に周辺機器等を載置することが可能となっている。
【０００９】
このインクジェット式プリンタ１００の後述する図６等に示す用紙搬送部１４０や記録部１５０等は、前面側が開放された筐体１０１及びこの筐体１０１の前面側にはめ込まれた前枠１０２により覆われている。筐体１０１は、例えば金属板の板金加工により、あるいはプラスチックの射出成形により形成され、前枠１０２は、例えばプラスチックの射出成形により形成されている。前枠１０２の略中央部には、図示矢印ａで示す主走査方向（記録ヘッド１５３の走査方向）を回動軸として図示矢印ｂで示す方向に開閉自在なスタッカ１１０が配設され、このスタッカ１１０の下部には、図示矢印ｃで示す副走査方向（記録用紙の搬送方向）に抜き差し自在なトレイ１２０が配設されている。
【００１０】
スタッカ１１０は、図１に示すように、前枠１０２に対して閉じているときは格納状態であり、図２に示すように、前枠１０２に対して開いているときは記録完了後に排紙される記録用紙を受けて載置が可能なように構成されている。トレイ１２０は、図１に示すように、前枠１０２に対して後方の筐体１０１内に収納された状態にて記録用紙の供給が可能であり、図３に示すように、前枠１０２に対して前方へ引き出された状態にて記録用紙の補充や交換が可能なように構成されている。この記録用紙としては、普通紙、専用紙、推奨ＯＨＰシート、光沢紙、光沢フィルム、ラベルシート、官製葉書等が利用できる。
【００１１】
図２は、上記スタッカ１１０を開にして記録用紙が受けられるようにした状態を示す斜視図である。このスタッカ１１０は、３段構成となっており、下部両端が前枠１０２に回動可能なように取り付けられた基台１１１と、この基台１１１に対し出し入れ自在に収納された第１の受け台１１２と、この第１の受け台１１２に対し出し入れ自在に収納された第２の受け台１１３を備えている。
【００１２】
基台１１１は、前方に引き出された状態の第１の受け台１１２の後端部を保持し、第１の受け台１１２は、前方に引き出された状態の第２の受け台１１３の後端部を保持している。第１及び第２の受け台１１２、１１３が引き出された状態のスタッカ１１０は、例えばＡ４サイズの大きさの記録用紙より若干大きく作製されている。
【００１３】
図３は、上記トレイ１２０を引き出して記録用紙が収納可能なようにした状態を示す斜視図である。このトレイ１２０は、記録前の記録用紙を積層収納する本体１２１と、積層収納した記録用紙を１枚ずつ供給するために記録用紙の前部を斜め上方に持ち上げるホッパ１２２を有している。本体１２１は、例えばＡ４サイズの大きさの記録用紙より若干大きく作製されており、記録用紙を内部に配設されている記録用紙の幅方向の位置決め用部材１２１ａ及び図示しない長さ方向の位置決め用部材により所定位置に位置決めして積層収納するようになっている。
【００１４】
ホッパ１２２は、本体１２１内の前部に配設された用紙支持部１２２ａ及びこの用紙支持部１２２ａと一体形成された脚部１２２ｂを有しており、脚部１２２ｂと本体１２１の内底面に係止されている付勢部材１２２ｃにより、脚部１２２ｂの端部を中心に旋回する用紙支持部１２２ａにより記録用紙の前部を斜め上方に持ち上げるようになっている。
【００１５】
図４及び図５は、上記インクジェット式プリンタ１００を斜め後方から見た斜視図である。このインクジェット式プリンタ１００は、上述したように上方から見たときに凸形状、すなわち図４に示すように、筺体１０１の背面側の両端部に切り欠きを設けて、その一方の端部を各種のケーブルコネクタが配設される配設部１０１ａとした形状に形成されている。なお、両端部を各種のケーブルコネクタが配設される配設部としてもよい。
この配設部１０１ａを構成する背面には、図４に示すように、例えばＡＣ１００Ｖの電源コネクタ１３１、ＵＳＢポート１３２、パラレル（ＲＳ２３２Ｃ）ポート１３３が配設され、図５に示すように、電源コネクタ１３１には電源ケーブルコネクタ１３４が、ＵＳＢポート１３２にはＵＳＢケーブルコネクタ１３５が、パラレルポート１３３にはパラレルケーブルコネクタ１３６がそれぞれ接続される。このとき、配設部１０１ａは、各ケーブルコネクタ１３４、１３５、１３６が筺体１０１の背面から飛び出ないような大きさに切り欠かれているので、インクジェット式プリンタ１００を筺体１０１の投影面積とほぼ同等のスペースに設置することができる。
また、このインクジェット式プリンタ１００の前面から配設部１０１ａの背面までの距離が、直方体状のプリンタの場合の前面から背面までの距離に比べて短くなるので、１枚の基板に前面側のインターフェース部品と背面側のインターフェース部品を実装する場合に、基板の奥行き寸法を小さくすることができ、部品の実装効率を向上させることができると共に、コストダウンを図ることができる。
【００１６】
図６は、前枠１０２、スタッカ１１０及びトレイ１２０を取り外した状態を示す斜視図、図７は、筐体１０１、前枠１０２及びスタッカ１１０を取り外した状態を示す斜視図、図８は、その平面図、図９は、その側面図である。トレイ１２０の上部には用紙搬送部１４０が配設され、この用紙搬送部１４０の上方には記録部１５０が配設されている。
【００１７】
用紙搬送部１４０は、記録用紙を筐体１０１内に収納されているトレイ１２０から前面側に引き出されているスタッカ１１０まで搬送する機能を有しており、後面側から前面側にかけて以下の部材が順に配設されている。すなわち、トレイ１２０の上部に配設されている第１紙案内１４１（図７〜９参照）、上下に対向配置されている給紙ローラ１４２（図７〜９参照）とパッド１４３ａ（図９参照）を有するパッドホルダ１４３（図９参照）が配設されている。
【００１８】
さらに、パッドホルダ１４３を支持する第２紙案内１４４（図９参照）、上下に対向配置されている従動ローラ１４５（図７〜９参照）と紙送りローラ１４６（図７〜９参照）、記録部１５０の下部に配設されている第３紙案内１４７（図７〜９参照）、上下に対向配置されている排紙ギザローラ１４８（図７〜９参照）と排紙ローラ１４９（図７、９参照）が配設されている。
【００１９】
記録部１５０は、主走査方向に移動可能なキャリッジ１５１（図７〜９参照）、キャリッジ１５１に対して前後方向に脱着可能に取り付けられたインクカートリッジ１５２（図７〜９参照）、キャリッジ１５１に搭載された記録ヘッド１５３（図９参照）、キャリッジ１５１の移動を案内するガイド棒１５４（図７〜９参照）を備えている。
【００２０】
さらに、記録ヘッド１５３と制御部１６０の専用コントローラボード等を電気的に接続するフレキシブル配線板１５５（図７、８参照）、インクカートリッジ１５２をキャリッジ１５１に着脱する際に補助するアシスト手段１５６（図７〜９参照）等を備えている。インクカートリッジ１５２は、例えばイエロー、マゼンタ、シアン、ブラックの計４色のタンクを備えており、フルカラー記録が可能なように構成されている。
【００２１】
そして、図７、８に示すように、用紙搬送部１４０を駆動する搬送駆動部１７０として駆動モータ１７１及びギア機構１７２が、用紙搬送部１４０の一側面側に配設され、記録部１５０の記録駆動部１８０として駆動モータ１８１及びベルト機構１８２が、記録部１５０の後方側に配設されている。
【００２２】
以上のような構成のインクジェット式プリンタ１００において、その動作の概略を説明する。なお、インクジェット式プリンタ１００とテレビジョン・システムやコンピュータ等との接続配線や電源プラグの接続は既に完了しているものとする。先ず、ユーザは、図１に示す状態で指をトレイ１２０の底面に設けられている凹部に掛けて引っ張ることにより、図２に示すようにトレイ１２０を前方へ引き出す。
【００２３】
続いて、トレイ１２０の本体１１１内の所定位置に複数枚の記録用紙を積層した状態で収納した後、トレイ１２０を後方へ押し込んでセットする。このとき、記録用紙の前部はホッパ１１２により斜め上方に持ち上げられ、最上部の記録用紙の前部先端が給紙ローラ１４２に接触する。次に、ユーザは、指をスタッカ１１０の上部に掛けて引っ張ることにより、図３に示すようにスタッカ１１０を前方へ引き出す。そして、インクジェット式プリンタ１００をスタンバイ状態にし、テレビジョン・システムやコンピュータ等から記録指令を入力する。
【００２４】
すると、図９に示すように、トレイ１２０内の最上部の１枚の記録用紙Ｐは、第１紙案内１４１と第２紙案内１４４に案内されつつ、給紙ローラ１４２の回転により副走査方向である前方へ引き出されて給紙ローラ１４２とパッド１４３ａとの間に挟持されて更に前方へ送り出される。そして、その記録用紙Ｐは、従動ローラ１４５と紙送りローラ１４６との間に挟持されて更に前方へ送り出される。
【００２５】
記録用紙Ｐが第３紙案内１４７に達すると、キャリッジ１５１の主走査方向への移動が開始される。そして、副走査方向に搬送されつつある記録用紙Ｐに対し、記録ヘッド１５３は主走査方向に移動しながらインク滴を吐出して、記録用紙Ｐ上に所定の記録情報を記録する。このときの記録ヘッド１５３の走査タイミングやインク吐出タイミングは、制御部１６０の専用コントローラボード等により制御され、高精度なインクドット制御、ハーフトーン処理等が実行されるようになっている。そして、その記録用紙Ｐは、排紙ギザローラ１４８と排紙ローラ１４９との間に挟持されて更に前方へ送り出され、最終的に記録が完了した記録用紙Ｐはスタッカ１１０上に排紙される。
【００２６】
以上のように、このインクジェット式プリンタ１００によれば、記録前の記録用紙Ｐのセッティングから記録後の記録用紙Ｐの取り出し、さらにはインクカートリッジ１５２の交換等にいたるまで前面側で全て処理することができるので、操作が迅速かつ容易となり、記録効率を向上させることができると共に、プリンタ上部への周辺機器の設置が可能となり、作業空間を有効利用することができる。
【００２７】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてプリンタを例に説明したが、これに限られるものではなく、例えばファクシミリ装置やコピー装置等の記録装置にも適用可能である。
【００２８】
【発明の効果】
以上説明したように、本発明によれば、
【図面の簡単な説明】
【図１】本発明の実施の形態に係る記録装置の１つであるインクジェット式プリンタの構成例を斜め前方から見た斜視図である。
【図２】図１のインクジェット式プリンタのスタッカを開にして記録用紙が受けられるようにした状態を示す斜視図である。
【図３】図１のインクジェット式プリンタのトレイを引き出して記録用紙が収納可能なようにした状態を示す斜視図である。
【図４】図１のインクジェット式プリンタを斜め後方から見た第１の斜視図である。
【図５】図１のインクジェット式プリンタを斜め後方から見た第２の斜視図である。
【図６】図１のインクジェット式プリンタの前枠、スタッカ及びトレイを取り外した状態を示す斜視図である。
【図７】図１のインクジェット式プリンタの筐体、前枠及びスタッカを取り外した状態を示す斜視図である。
【図８】図７のインクジェット式プリンタの平面図である。
【図９】図７のインクジェット式プリンタの側面図である。
【符号の説明】
１００　　　インクジェット式プリンタ
１０１　　　筐体
１０１ａ　　配設部
１０２　　　前枠
１１０　　　スタッカ
１１１　　　基台
１１２　　　第１の受け台
１１３　　　第２の受け台
１２０　　　トレイ
１２１　　　本体
１２２　　　ホッパ
１３１　　　電源コネクタ１３１
１３２　　　ＵＳＢポート
１３３　　　パラレル（ＲＳ２３２Ｃ）ポート
１３４　　　電源ケーブルコネクタ
１３５　　　ＵＳＢケーブルコネクタ
１３６　　　パラレルケーブルコネクタ
１４０　　　用紙搬送部
１４１　　　第１紙案内
１４２　　　給紙ローラ
１４３　　　パッドホルダ
１４４　　　第２紙案内
１４５　　　従動ローラ
１４６　　　紙送りローラ
１４７　　　第３紙案内
１４８　　　排紙ギザローラ
１４９　　　排紙ローラ
１５０　　　記録部
１５１　　　キャリッジ
１５２　　　インクカートリッジ
１５３　　　記録ヘッド
１５４　　　ガイド棒
１５５　　　フレキシブル配線板
１６０　　　制御部
１７０　　　搬送駆動部
１７１　　　駆動モータ
１７２　　　ギア機構
１８０　　　記録駆動部
１８１　　　駆動モータ
１８２　　　ベルト機構
【図１】
2004082539.tif 000003
【図２】
2004082539.tif 000004
【図３】
2004082539.tif 000005
【図４】
2004082539.tif 000006
【図５】
2004082539.tif 000007
【図６】
2004082539.tif 000008
【図７】
2004082539.tif 000009
【図８】
2004082539.tif 000010
【図９】
2004082539.tif 000011